(57)【要約】【課題】非使用時の自転車用錠、特にワイヤー錠を安全で使用に便利に保持させ、前籠にひったくり防止手段を特別に備える必要をなくして、同様の機能を安価に付設できるようにし、自転車にワイヤー錠を使用したワンキー・ツーロック方式を採用できるようにする。【構成】ハンドルポスト１から延設した取付け金具２の前面部３に前籠４の背面部４’を添わせ、内側にホルダー５の取付け部５’を添わせて、該取付け部と上記取付け金具の前面部３間に前籠４を挟んで、両部材間を挿通した止めねじ７によりホルダー５を前籠内に固定し、このホルダー５に、ワイヤー錠８等の自転車用錠を着脱自在に保持させるようにした自転車用錠のホルダーである。【選択図】      図２
2004314911.tif 000002
【特許請求の範囲】
【請求項１】
ハンドルポストから延設された前籠の取付け金具の前面部に前籠の背面部を添わせ、該背面部の内側面にホルダーの取付け部を添わせて、このホルダー側の取付け部と上記取付け金具側の前面部との間に前籠の背面部を挟んで、両部材間を挿通した止めねじを緊締して上記ホルダーを前籠内に固定し、このホルダーに、ワイヤー錠またはチエン錠等の自転車用錠を着脱自在に保持させるようにしたことを特徴とする自転車用錠のホルダー。
【請求項２】
前記ホルダーは、中間に横長の開口部を具えて上下方向に筒形に形成され、前記自転車用錠にはワイヤー錠を用い、この筒形のホルダーにワイヤー錠の錠本体を回転自在に嵌合させる一方、ワイヤー錠の中間に備えた施錠部に、上記横長の開口部から挿入したワイヤー錠の自由端部を施錠させるように構成したことを特徴とする請求項１記載の自転車用錠のホルダー。
【請求項３】
前記ホルダーに保持される前記ワイヤー錠には、自転車の後ホークに別に取り付けた自転車用サークル錠と共通のキーを用い、ワンキー・ツーロック方式で上記ワイヤー錠とサークル錠との２個のロックに使用できるようにしたを特徴とする請求項２記載の自転車用錠のホルダー。
【発明の詳細な説明】
【０００１】
【産業上の利用分野】
本発明は、主として、非使用時に携行が必要になるワイヤー錠を自転車と一体に備えたホルダーに保持させておけるようにした自転車用錠のホルダーに関し、特に、自転車の前籠内に設けたホルダーに、非使用時のワイヤー錠を保持させておけるようにしたことを特長とするものである。
【０００２】
【従来の技術】
従来、自転車の車体に取り付けたホルダーにワイヤー錠の錠本体部分を保持させておき、使用時には、錠本体から開錠したワイヤーの自由端部をタイヤに巻回させて再びホルダー位置にある錠本体に施錠させるようにしたものがある（例えば、特許文献１参照）。
また、自転車のハンドルポストから延設した前籠の取付け金具の前面部に前籠の背面部を添わせ、両部材を挿通した止めねじの緊締により前籠を自転車に固定するようにしたものがある（例えば、特許文献２参照）。
さらに、自転車の前籠に施錠機構を備えたカバー部材を開閉自在に付設して、カバー部材を閉鎖位置で施錠して前籠からのひったくりを防止するようにしたものがある（例えば、特許文献３参照〕。
なお、ワンキー・ツーロック方式で２個の錠前を自転車に取り付けて、前輪と後輪を同時に施錠できるようにしたものもある（例えば、特許文献４）。
【０００３】
【特許文献１】
実開平７−３７８７５号公報（第１頁、図１）
【特許文献２】
特開２００１−１７１５７８号公報（第１頁、図１）
【特許文献３】
特開２０００−１５９１６８号公報（第１頁、図１）
【特許文献４】
特開平１０−１５２０８２号公報（第１頁、図１）
【０００４】
【発明が解決しようとする課題】
自転車の車体に取り付けたホルダーにワイヤー錠を保持させておくようにした特許文献１には、自転車の使用中に誤ってワイヤーを引っ掛けるおそれがある。
前籠に閉鎖手段を備えていない特許文献２には、前籠に入れた荷物がひったくりに遭うおそれがある。
前籠にひったくり防止手段を備えた特許文献３は、ひったくりに対する安全性に優れているが、カバー部材の構造が複雑でコスト高になる。
ワンキー・ツーロック方式を採用している特許文献４は自転車の施錠性に優れているが、駐輪時に構造物にワイヤーを巻回できるワイヤー錠を採用できない欠点と、前籠にひったくり防止手段を別に備える必要があってその分コスト高になる欠点とがある。
以上のことから、本発明が解決しようとする課題は、非使用時の自転車用錠、特にワイヤー錠を安全な場所にホルダーさせることができ、かつ、前籠に備えるひったくり防止の閉鎖手段を特別に備える必要がなく、ひったくり防止機能を安価に付設できるようにすることにある。また、自転車にワイヤー錠を使用したワンキー・ツーロック方式を採用できるようにすることにある。
【０００５】
【課題を解決するための手段】
そこで本発明は、上記の課題を解決するために、ハンドルポストから延設された前籠の取付け金具の前面部に前籠の背面部を添わせ、該背面部の内側面にホルダーの取付け部を添わせて、このホルダー側の取付け部と上記取付け金具側の前面部との間に前籠の背面部を挟んで、両部材間を挿通した止めねじを緊締して上記ホルダーを前籠内に固定し、このホルダーに、ワイヤー錠またはチエン錠等の自転車用錠を着脱自在に保持させるようにしたことを特徴とする自転車用錠のホルダーを提供するものである。
【０００６】
上記のように構成した本発明ホルダーは、前籠内に非使用時の自転車用錠、特にワイヤー錠を保持させるようにしたので、ワイヤー部分が自転車の走行、使用の妨げにならず安全に使用できる。非使用時に、前籠内に保持させたワイヤー錠はひったくりを邪魔する防止機能を具えることになるので、特別に防止手段を設ける必要がなくなり、安価に付設することができる。さらに、例えば図２に示すように、ハンドバッグを携行する場合に提げ手をワイヤー錠に施錠させておくこともできる。また、ワンキー・ツーロック方式の錠前の一方にワイヤー錠が使用できるので、駐輪時に、構造物にワイヤーを巻回させるようにすることもできる。以上のようにして本発明は前記の課題を解決したものである。
【０００７】
本発明ホルダーに保持させる自転車用錠には、例えばワイヤー錠のように、比較的に長尺でフレキシブルな錠杆を備えた錠前が有利であるが、非使用時に車体から離してホルダーに保持できるようにしたものであれば特に形状的な制限はない。
【０００８】
また、中間に横長の開口部を具えて上下方向に筒形にホルダー形成し、このホルダーに、ワイヤー錠の錠本体を回転自在に嵌合させ、錠本体の中間に備えた施錠部に、上記横長の開口部から挿入したワイヤー錠の自由端部を施錠させるようにした請求項２の発明によれば、ホルダーに保持させた自転車用ワイヤー錠の向きを前方のみに限らず、左右方向にその向きを変えることができ、それによって、前籠に収容する荷物の邪魔にならないようにすることができる。
さらに、本発明ホルダーに保持されるワイヤー錠には、自転車の後ホークに別に取り付けた自転車用サークル錠と共通のキーを用いるようにして、ワンキー・ツーロック方式でワイヤー錠とサークル錠との２個のロックに使用できるようにした請求項３の発明によれば、タイヤを施錠するロックと、タイヤまたは車体をワイヤーにより近傍の構造物にロックするという二重のロックが１個のキーで操作できるという使用上の便利さがある。
【０００９】
【実施例】
以下に、ホルダーにワイヤー錠を保持させるようにした実施例を図面について説明する。
図１は、本発明に係るホルダーの取付け状態を示す一部切欠側面図、図２は、実施例の使用例を示す一部切欠拡大斜視図である。
【００１０】
図において、１は、自転車のハンドルポスト、２は、ハンドルポスト１から前方にＬ字形に延設された前籠の取付け金具、３は、取付け金具２の先端にＬ字形に一体形成されている従来公知の前面部、４は、前面部３に背面部４’を添わせた前籠、５は、上下方向に筒形に形成したホルダー、６は、ホルダー５から両側に一体に延設され、前籠４の背面部４’の内側面に添うホルダーの取付け部、７は、前籠４の背面部４’を挟んで、ホルダーの取付け部６と取付け金具２の先端の前面部３を挿通し、緊締することによって取付け金具２にホルダー５と前籠４を固定する左右一対の止めねじである。なお、止めねじ７はそれぞれ１組のボルトナットにより構成されている。
【００１１】
前籠４の内側面に沿って取付け部６を固定されたホルダー５は、上下方向に筒形に形成され、中間に横長の開口部５’を具えている。このホルダー５に保持される自転車用ワイヤー錠８の錠本体９は、上記開口部５’と整合する位置に、ワイヤー１０の自由端部１０’を嵌合して施錠する施錠部１１を備えて、上方から筒形のホルダー５内に回転自在に嵌合する。
錠本体９の下部に固定端を有するワイヤー１０の自由端部１０’は、上記開口部５’に臨出する施錠部１１に押し込むことによって、公知のワイヤー錠と同様に、自動的に施錠される。
【００１２】
上記のようにしてワイヤー１０の自由端１０’を施錠部１１に施錠する前に、図２に示すように、ワイヤー１０を例えば前籠４に収容したハンドバッグ１５の提げ手１５’に通して自由端部１０’を施錠部１１に施錠させると、ワイヤーとバッグの施錠が同時にでき、前籠からのひったくりを完全に防止することができる。
また、前籠４に別の荷物を入れる場合に、施錠状態にあるワイヤー１０が邪魔になることがあれば、前籠４の背面部４’に沿ってワイヤー１０を一方に回避させておくこともできる。
【００１３】
なお、本発明に係るホルダー５に保持させるワイヤー錠は、図示した実施例のように中間に施錠部を備えた錠に限らず、錠本体の下部に施錠部を備えて直線状にワイヤーの自由端を錠止するものであっても良く、また、錠本体の両端部にそれぞれワイヤーの端部をＴ字形に連結したものであっても良い。
この実施例においては、ワイヤー錠８とは別に、後ホーク１２に後輪１３を施錠するサークル錠１４を備え、このサークル錠１４のキーと、ワイヤー錠８のキー（図示省略）を共通に使用するワンキー・ツーロック方式を採用している。
【００１４】
実施例においてホルダー５の本体部分は、図示のように筒形に形成されているが、本発明の実施に際しては、環状あるいはリング状のホルダーを前籠４の背面部４’に備えることがあり、該ホルダーにワイヤー錠を挿通して吊り下げ状に保持させるように用いる場合もある。
何れの場合も本発明に係るホルダー５が自転車の前籠に存在してワイヤー錠等の自転車用錠を保持している状態が視認されることによって、ひったくりを予防する効果が具わる。
【発明の効果】
前記のように構成され上記のように用いられるようにした本発明ホルダーは、特別にカバー部材などを取り付ける必要がなく、ひったくりを防止する効果が得られる。また、ワイヤー等の長尺な錠杆部を具えた自転車用錠の採用ができる。さらに、非使用時に携行を要するワイヤー錠等の置き場所が一定するとともに、安全に走行できる。また、自転車にワイヤー錠を使用したワンキー・ツーロック方式を採用することもできる。
本発明には以上のようにきわめて優れた効果がある。
【図面の簡単な説明】
【図１】図１は、本発明に係るホルダーの取付け状態を示す一部切欠側面図
【図２】図２は、実施例の使用例を示す一部切欠拡大斜視図である。
【符号の説明】
１  ハンドルポスト
２  取付け金具
３  前面部
４  前籠    （４’  背面部）
５  ホルダー    （５’  開口部）
６  ホルダーの取付け部
７  止めねじ
８  ワイヤー錠
９  錠本体
１０  ワイヤー    （１０’  自由端部）
１１  施錠部
１２  後ホーク
１３  後輪
１４  サークル錠
１５  ハンドバッグ    （１５’  提げ手）
【図１】
2004314911.tif 000003
【図２】
2004314911.tif 000004